(57)【特許請求の範囲】
【請求項１】
屋外空気を除湿して除湿室へ供給する除湿装置と、排気室の空気を屋外へ排気する排気装置と、前記除湿室と前記排気室を連通させる連通手段を備え、
前記除湿室をランドリールームとし、前記排気室をバスルームとし、
前記ランドリールームより前記バスルームへ移動する際に使用するドアに前記連通手段としてのガラリを備え、
前記除湿装置は、吸込口と、吹出口と、再生空気排気口と、回転可能なように設けられ前記吸込口から導入された空気より吸湿する除湿ローターと、前記除湿ローターによって除湿された空気を前記吹出口より吹出す処理ファンと、再生ファンと、前記再生ファンによって供給される再生空気が前記除湿ローターを通過するように形成された再生経路と、前記再生経路における前記除湿ローターの風上側に設けられ再生空気を加熱する再生空気加熱手段と、前記再生経路における前記除湿ローターの風下側に設けられ再生空気の冷却を行なう凝縮器と、前記再生経路の最下部に設けられ前記凝縮器ならびに前記再生経路において発生したドレン水を排水管へ排水する排水経路と、前記凝縮器の風上側および風下側に設けられ再生空気の風路を循環経路と通風経路のいずれかに形成する排出選択手段を備え、
前記処理ファンにより、前記吸込口より導入された空気は、前記除湿ローターを通過する際に吸湿され、前記吹出口より前記ランドリールームへ供給され、
前記排出選択手段によって循環経路が形成されている場合、前記除湿ローターに吸湿された水分は、前記除湿ローターが回転することによって、前記再生空気加熱手段によって高温になった再生空気が前記除湿ローターを通過する際に、前記除湿ローターより放湿され水蒸気となって再生空気と共に前記再生経路を循環し、前記再生経路に設けられた前記凝縮器によって凝縮され、前記排水経路ならびに前記排水管を経由して排水され、
前記排出選択手段によって通風経路が形成されている場合、前記吸込口より導入された空気の一部は前記再生経路に導入され、前記再生空気加熱手段ならびに前記除湿ローターを通過し、前記除湿ローターに吸湿された水分は、前記除湿ローターが回転することによって、前記再生空気加熱手段によって高温になった再生空気が前記除湿ローターを通過する際に、前記除湿ローターより放湿され水蒸気となり、前記再生空気排気口より排気されることを特徴とする除湿システム。
【請求項２】
除湿装置によって除湿した空気を加熱する処理空気加熱手段を備えている、請求項１記載の除湿システム。
【請求項３】
排水経路が凝縮器の風下側の再生経路に設けられた請求項１または２に記載の除湿システム。
【請求項４】
排気室をバスルームおよびトイレルームとした請求項１乃至３のいずれかに記載の除湿システム。
【請求項５】
除湿装置に導入する空気を、屋外空気と排気室の空気のいずれかに選択することができる導入空気選択手段を備えることを特徴とする、請求項１、２、３または４記載の除湿システム。
【請求項６】
排気室の温度、相対湿度、絶対湿度のうち少なくとも２以上の状態を検知することができる第一環境検知手段と、屋外の温度、相対湿度、絶対湿度のうち少なくとも２以上の状態を検知することができる第二環境検知手段と、前記第一環境検知手段ならびに前記第二環境検知手段の情報に基づいて導入空気選択手段を制御する運転制御手段を備えていることを特徴とする、請求項５記載の除湿システム。
【請求項７】
排気装置によって屋外へ排気する空気と除湿装置によって屋外より導入する空気との間で熱交換する熱交換手段を備えていることを特徴とする、請求項１、２、３、４、５または６記載の除湿システム。
【請求項８】
除湿装置によって除湿装置に導入する空気より取り除いた水分を除湿室に設けられた洗濯機の排水口より排出する排水手段を備えていることを特徴とする、請求項１、２、３、４、５、６または７記載の除湿システム。
【請求項９】
除湿装置によって除湿装置に導入する空気より取り除いた水分を気化させたのち排気装置によって排気する空気と共に屋外へ排出する再生空気排気手段を備えていることを特徴とする、請求項１、２、３、４、５、６、７または８記載の除湿システム。
【発明の詳細な説明】
【技術分野】
【０００１】
本発明は、洗濯物ならびに室を乾燥させる除湿システムに関する。
【背景技術】
【０００２】
最近、共働きによって屋外で洗濯物を乾燥させることが困難となり、洗濯物を室内にて乾燥させる家庭が増加している。また、入浴によって発生する湿気によってもたらされるカビ等の湿害を防ぐことから、ランドリールームやバスルームに乾燥空気を供給することで洗濯物を乾燥させる除湿システムが多く開発されている。そこで、バスルームの空気を除湿しランドリールームならびにバスルームへ供給する除湿システムが知られている（例えば、特許文献１参照）。
【０００３】
以下、その除湿システムについて図９を参照しながら説明する。図９に示すように従来の除湿システムは、室の空気を導入し除湿する除湿装置１０１と、除湿装置１０１により除湿した空気を吹出す第一吹出口１０２ならびに第二吹出口１０３と、二室を連通させる連通手段１０４とで構成され、除湿装置１０１ならびに第一吹出口１０２をバスルーム１０５に設け、第二吹出口１０３をランドリールーム１０６に設けたものである。以上の構成によって、バスルーム１０５の空気を除湿装置１０１によって除湿し、バスルーム１０５に吹出すことでバスルーム１０５を乾燥させ、かつバスルーム１０５に設けた洗濯物保持手段１０７によって固定された洗濯物１０８を乾燥させる。それと同時に、除湿装置１０１によって除湿した空気をランドリールーム１０６へ供給することで、ランドリールーム１０６を乾燥させるものである。
【特許文献１】特開２０００−５１５８８号公報
【発明の開示】
【発明が解決しようとする課題】
【０００４】
図９に示す除湿システムの場合、入浴後などバスルーム１０５が高湿である場合、高湿空気を除湿装置１０１によって除湿するため、比較的高湿の空気がバスルーム１０５ならびに洗濯物１０８に供給されるため、洗濯物を乾燥させるために多くの時間がかかるという課題があった。また、住宅を建設する際に除湿システムを導入していない場合、通常バスルーム１０５にはバスルーム１０５内の湿気を排気するための排気装置が設けられているので、図９に示す除湿システムを導入する際に前記排気装置を外す必要があり、そのための施工費がかかるという課題があり、さらに、一般の集合住宅ではトイレルームに窓がついておらず、高湿で不快になり易く、トイレルームを乾燥させたいという要望もあり、洗濯物を乾燥させながら、バスルームあるいはトイレルームを同時に乾燥させたいという要望があった。
【０００５】
本発明は上記の課題を解決するものであり、洗濯物を迅速に乾燥させることができ、既存の排気装置をそのままシステムとして活用することができ、イニシャルコストを削減することができ、バスルームあるいはトイレルームの除湿も同時に行なうことができる除湿システムを提供することを目的としている。
【課題を解決するための手段】
【０００６】
本発明のうち請求項１記載の発明は、上記目的を達成するために、屋外空気を除湿して除湿室へ供給する除湿装置と、排気室の空気を屋外へ排気する排気装置と、除湿室と排気室を連通させる連通手段を備え、除湿室をランドリールームとし、排気室をバスルームとし、前記ランドリールームより前記バスルームへ移動する際に使用するドアに前記連通手段としてのガラリを備え、前記除湿装置は、吸込口と、吹出口と、再生空気排気口と、回転可能なように設けられ前記吸込口から導入された空気より吸湿する除湿ローターと、前記除湿ローターによって除湿された空気を前記吹出口より吹出す処理ファンと、再生ファンと、前記再生ファンによって供給される再生空気が前記除湿ローターを通過するように形成された再生経路と、前記再生経路における前記除湿ローターの風上側に設けられ再生空気を加熱する再生空気加熱手段と、前記再生経路における前記除湿ローターの風下側に設けられ再生空気の冷却を行なう凝縮器と、前記再生経路の最下部に設けられ前記凝縮器ならびに前記再生経路において発生したドレン水を排水管へ排水する排水経路と、前記凝縮器の風上側および風下側に設けられ再生空気の風路を循環経路と通風経路のいずれかに形成する排出選択手段を備え、前記処理ファンにより、前記吸込口より導入された空気は、前記除湿ローターを通過する際に吸湿され、前記吹出口より前記ランドリールームへ供給され、前記排出選択手段によって循環経路が形成されている場合、前記除湿ローターに吸湿された水分は、前記除湿ローターが回転することによって、前記再生空気加熱手段によって高温になった再生空気が前記除湿ローターを通過する際に、前記除湿ローターより放湿され水蒸気となって再生空気と共に前記再生経路を循環し、前記再生経路に設けられた前記凝縮器によって凝縮され、前記排水経路ならびに前記排水管を経由して排水され、前記排出選択手段によって通風経路が形成されている場合、前記吸込口より導入された空気の一部は前記再生経路に導入され、前記再生空気加熱手段ならびに前記除湿ローターを通過し、前記除湿ローターに吸湿された水分は、前記除湿ローターが回転することによって、前記再生空気加熱手段によって高温になった再生空気が前記除湿ローターを通過する際に、前記除湿ローターより放湿され水蒸気となり、前記再生空気排気口より排気されることを特徴とするものである。この発明により、使用者は洗濯物とランドリールームとバスルームの迅速な乾燥と、ランドリールームの快適性向上という２つの目的のいずれかを任意に選択して使用することができ、洗濯物乾燥を目的とした場合、高温高湿の再生空気を凝縮させ、再生空気の顕熱及び凝縮熱を洗濯物乾燥の乾燥効率向上に活用することができ、また、入浴後の快適性向上を目的とした場合、高温高湿の空気を直接屋外に排出するため、再生空気の持っている熱をランドリールームに供給せず、その結果ランドリールームの温度を再生空気の持っている熱により上昇させることなく低湿にすることが可能となり、また、既存の排気装置をそのまま除湿システムの排気に活用することができるため、従来の除湿システムと比較して施工費を削減することができ、洗濯物とランドリールームとバスルームを同時に乾燥させることができる。
【００１１】
また請求項２記載の発明は、除湿装置により室内に供給する除湿空気を加熱する処理空気加熱手段を備えていることを特徴とするものである。この発明により、迅速に洗濯物と除湿室と排気室を乾燥させることが可能となる。
また、請求項３の発明は、排水経路が凝縮器の風下側の再生経路に設けられた請求項１または２に記載の除湿システムとしたものである。この発明により、使用者がドレン水を排水するという手間を省くことが可能となる。
また、請求項４の発明は、排気室をバスルームおよびトイレルームとした請求項１乃至３のいずれかに記載の除湿システムとしたものである。この発明により、バスルームの乾燥のみならず、トイレルームも同時に乾燥させることが可能となる。また、ランドリールームの空気を連通手段を経由してバスルームおよびトイレルームに備えられた既存の排気装置により屋外へ排気するため、既存の排気装置をそのままシステムとして活用することができる。
【００１２】
また請求項５記載の発明は、除湿装置に導入する空気を、屋外空気と排気室の空気のいずれか一方に選択することができる導入空気選択手段を備えることを特徴とするものである。この発明により、乾湿球温度差のより大きい空気を除湿することで、より迅速に洗濯物と除湿室と排気室を乾燥させることが可能となる。
【００１３】
また請求項６記載の発明は、排気室の温度、相対湿度、絶対湿度のうち少なくとも２以上の状態を検知することができる第一環境検知手段と、屋外の温度、相対湿度、絶対湿度のうち少なくとも２以上の状態を検知することができる第二環境検知手段と、前記第一環境検知手段ならびに前記第二環境検知手段の情報に基づいて導入空気選択手段を制御する運転制御手段を備えていることを特徴とするものである。この発明により、自動的に乾湿球温度差の大きい空気を除湿することができ、その結果確実に迅速に洗濯物と除湿室と排気室を乾燥させることが可能となる。
【００１４】
また請求項７記載の発明は、排気装置によって屋外へ排気する空気と除湿装置によって屋外より導入する空気との間で熱交換する熱交換手段を備えていることを特徴とするものである。この発明により、冬期など室内と比較して屋外が寒い場合、屋外より導入する空気を加熱することができるため、洗濯物と除湿室と排気室を迅速に乾燥させることが可能となる。
【００１５】
また請求項８記載の発明は、除湿装置によって除湿装置に導入する空気より取り除いた水分を除湿室に設けられた洗濯機の排水口より排出する排水手段を備えていることを特徴とするものである。この発明により、除湿装置を小型化することができ、また前記水分を廃棄する手間を省くことができる。
【００１６】
また請求項９記載の発明は、除湿装置によって除湿装置に導入する空気より取り除いた水分を排気装置によって排気する空気と共に屋外へ排出する再生空気排気手段を備えていることを特徴とするものである。この発明により、除湿装置によって取り除いた水分を洗濯機の排水口へ誘導する配水管を設置する必要がなくなり、除湿室の温度を上昇させずに湿度を低下させることができるため、入浴後などに除湿室の快適性を向上させる事が可能となる。
【発明の効果】
【００１８】
本発明によれば、使用者は洗濯物とランドリールームとバスルームの迅速な乾燥と、ランドリールームの快適性向上という２つの目的のいずれかを任意に選択して使用することができ、洗濯物乾燥を目的とした場合、高温高湿の再生空気を凝縮させ、再生空気の顕熱及び凝縮熱を洗濯物乾燥の乾燥効率向上に活用することができ、また、入浴後の快適性向上を目的とした場合、高温高湿の空気を直接屋外に排出するため、再生空気の持っている熱をランドリールームに供給せず、その結果ランドリールームの温度を再生空気の持っている熱により上昇させることなく低湿にすることが可能となり、また、洗濯物を迅速に乾燥させることができ、バスルームあるいはトイレルームに備えられている既存の排気装置をそのままシステムとして活用することができ、イニシャルコストを削減することができる除湿システムを提供することができる。
【発明を実施するための最良の形態】
【００１９】
本発明のうち請求項１記載の発明は、屋外空気を除湿して除湿室へ供給する除湿装置と、排気室の空気を屋外へ排気する排気装置と、除湿室と排気室を連通させる連通手段を備え、除湿室をランドリールームとし、前記ランドリールームより前記バスルームへ移動する際に使用するドアに前記連通手段としてのガラリを備え、前記除湿装置は、吸込口と、吹出口と、再生空気排気口と、回転可能なように設けられ前記吸込口から導入された空気より吸湿する除湿ローターと、前記除湿ローターによって除湿された空気を前記吹出口より吹出す処理ファンと、再生ファンと、前記再生ファンによって供給される再生空気が前記除湿ローターを通過するように形成された再生経路と、前記再生経路における前記除湿ローターの風上側に設けられ再生空気を加熱する再生空気加熱手段と、前記再生経路における前記除湿ローターの風下側に設けられ再生空気の冷却を行なう凝縮器と、前記再生経路の最下部に設けられ前記凝縮器ならびに前記再生経路において発生したドレン水を排水管へ排水する排水経路と、前記凝縮器の風上側および風下側に設けられ再生空気の風路を循環経路と通風経路のいずれかに形成する排出選択手段を備え、前記処理ファンにより、前記吸込口より導入された空気は、前記除湿ローターを通過する際に吸湿され、前記吹出口より前記ランドリールームへ供給され、前記排出選択手段によって循環経路が形成されている場合、前記除湿ローターに吸湿された水分は、前記除湿ローターが回転することによって、前記再生空気加熱手段によって高温になった再生空気が前記除湿ローターを通過する際に、前記除湿ローターより放湿され水蒸気となって再生空気と共に前記再生経路を循環し、前記再生経路に設けられた前記凝縮器によって凝縮され、前記排水経路ならびに前記排水管を経由して排水され、前記排出選択手段によって通風経路が形成されている場合、前記吸込口より導入された空気の一部は前記再生経路に導入され、前記再生空気加熱手段ならびに前記除湿ローターを通過し、前記除湿ローターに吸湿された水分は、前記除湿ローターが回転することによって、前記再生空気加熱手段によって高温になった再生空気が前記除湿ローターを通過する際に、前記除湿ローターより放湿され水蒸気となり、前記再生空気排気口より排気されることを特徴とするものであり、使用者は洗濯物とランドリールームとバスルームの迅速な乾燥と、ランドリールームの快適性向上という２つの目的のいずれかを任意に選択して使用することができ、洗濯物乾燥を目的とした場合、高温高湿の再生空気を凝縮させ、再生空気の顕熱及び凝縮熱を洗濯物乾燥の乾燥効率向上に活用することができ、また、入浴後の快適性向上を目的とした場合、高温高湿の空気を直接屋外に排出するため、再生空気の持っている熱をランドリールームに供給せず、その結果ランドリールームの温度を再生空気の持っている熱により上昇させることなく低湿にすることが可能となり、また、除湿装置によって除湿した屋外空気をランドリールームへ供給するので、入浴後などランドリールームが高湿である場合でも低湿の空気を供給する事ができ、その結果洗濯物やランドリールームを迅速に乾燥させるという作用を有する。また、ランドリールームの空気を連通手段を経由してバスルームに備えられた既存の排気装置により屋外へ排気するため、洗濯物乾燥時に洗濯物から発生する湿気成分をバスルームを経由して速やかに屋外に排気でき洗濯物乾燥を促進させ、また、バスルームに除湿した空気を供給するための給気装置を設けることなく、ランドリールームと連通するバスルームを同時に乾燥させるという作用を有する。
【００２４】
また請求項２記載の発明は、除湿装置により除湿室に供給する除湿空気を加熱する処理空気加熱手段を備えていることを特徴とするものであり、除湿装置より供給される除湿空気を加熱することで空気の乾球温度と湿球温度の差である乾湿球温度差を拡大させ、より迅速に洗濯物を乾燥させるという作用を有する。
また、請求項３の発明は、排水経路が凝縮器の風下側の再生経路に設けられた請求項１または２に記載の除湿システムとしたものである。この発明により、使用者がドレン水を排水するという手間を省くことが可能となる。
また、請求項４の発明は、排気室をバスルームおよびトイレルームとした請求項１乃至３のいずれかに記載の除湿システムとしたものである。この発明により、バスルームの乾燥のみならず、トイレルームも同時に乾燥させることが可能となる。また、ランドリールームの空気を連通手段を経由してバスルームおよびトイレルームに備えられた既存の排気装置により屋外へ排気するため、既存の排気装置をそのままシステムとして活用することができる。
【００２５】
また請求項５記載の発明は、除湿装置に導入する空気を、屋外空気と除湿室内の空気のいずれか一方に選択することができる導入空気選択手段を備えることを特徴とするものであり、ダンパを用いて除湿装置へ導入される空気の風路を切替えることによって選択することを可能とし、より乾湿球温度差の大きい空気を選択することで乾湿球温度差の大きい空気を供給することができ、その結果迅速に洗濯物を乾燥させることができるという作用を有する。
【００２６】
また請求項６記載の発明は、排気室の温度、相対湿度、絶対湿度のうち少なくとも２以上の状態を検知することができる第一環境検知手段と、屋外の温度、相対湿度、絶対湿度のうち少なくとも２以上の状態を検知することができる第二環境検知手段と、前記第一環境検知手段ならびに前記第二環境検知手段の情報に基づいて導入空気選択手段を制御する運転制御手段を備えていることを特徴とするものであり、第一環境検知手段ならびに第二環境検知手段の測定値より排気室ならびに屋外の乾球温度と湿球温度を計算し、乾湿球温度差のより大きい空間から除湿装置へ空気を導入するように導入空気選択手段を自動的に制御するという作用を有する。
【００２７】
また請求項７記載の発明は、排気装置によって屋外へ排気する空気と除湿装置によって屋外より導入する空気との間で熱交換する熱交換手段を備えていることを特徴とするものであり、この熱交換器は薄肉のシートを積層することによって構成される積層型熱交換器であり、排気装置によって屋外へ排気される空気が流れる排気経路と、屋外から除湿装置へ導入される空気が流れる導入経路とが形成されている。そして、排気装置により屋外へ排気される空気と除湿装置へ導入される空気がこの熱交換器を通過する際、排気経路と導入経路を隔てるシートを介して熱交換が行なわれ、その結果冬期のように室内と比較して屋外が寒い場合、排気装置により屋外へ排気される空気の持つ熱が除湿装置へ導入される空気へ移動し、加温された状態で除湿装置に導入されるという作用を有する。
【００２８】
また請求項８記載の発明は、除湿装置によって除湿装置に導入する空気より取り除かれた水分を除湿室に設けた排水口より排出する排水手段を設けたことを特徴とするものであり、除湿ローターに吸着した水分を脱着させたことによって高温高湿になった再生空気を凝縮させることによって空気と水分が分離され、その水分を洗濯機の排水口より排出するという作用を有する。
【００２９】
また請求項９記載の発明は、除湿装置によって除湿装置に導入する空気より取り除かれた水分を排気装置によって排気する空気と共に屋外へ排出する再生空気排気手段を設けたことを特徴とするものであり、デシカントを用いた除湿装置の場合、除湿ローター吸着した水分を脱着させたことによって高温高湿となった再生空気を屋外へ排出するという作用を有する。
【００３１】
本発明のより具体的な実施の形態について図面を参照しながら説明する。なお、従来の除湿システムと同一であるものについては同一番号を附す。
【００３２】
（実施の形態１）
図１に示すように実施の形態１における除湿システムは、導入された空気を除湿して室へ供給する除湿装置１と、室の空気を屋外へ排気する排気装置２と、除湿装置１へ導入される空気を屋外より搬送する屋外側導入管３ならびに室内側導入管４と、排気装置２によって排気される空気を屋外まで搬送する屋外側排気管５ならびに室内側排気管６と、除湿装置１によって導入空気より取り除いた水分を空気と共に屋外へ搬送する再生空気排気管７と、二室を連通する連通手段８と、除湿装置１によって導入空気より取り除いた水分を除湿装置１より洗濯機９の排水口１０へ送る排水管１１と、除湿装置１ならびに排気装置２の運転を制御する運転制御手段１２と、設置した空間の温度、相対湿度もしくは絶対湿度の少なくとも２状態を検知できる第一環境検知手段１３ならびに第二環境検知手段１４と、屋外側導入管３を流通する空気と屋外側排気管５を流通する空気とで熱交換する熱交換手段１５と、屋外側導入管３と室内側導入管４と屋外側排気管５と室内側排気管６とを連通し除湿装置１へ導入する空気を選択する導入空気選択手段１６で構成される。
【００３３】
図２は、本発明の実施の形態１における除湿装置１の概略断面図である。図２に示すように除湿装置１は、除湿装置本体１７に開口された吸込口１８、吹出口１９、再生空気排気口２０と、回転可能なように設けられ吸込口１８から除湿装置本体１７へ導入された空気より吸湿する除湿ローター２１と、除湿ローター２１によって除湿された空気を吹出口１９より吹出す処理ファン２２と、再生ファン２３によって供給される再生空気が除湿ローター２１を通過するように形成された再生経路２４と、再生経路２４における除湿ローター２１の風上側近傍に設けられ再生空気を加熱する再生空気加熱手段２５と、再生経路２４における除湿ローター２１の風下側近傍に設けられ除湿ローター２１における再生空気の流通方向と同視点において再生空気加熱手段２５と概ね同形である遮熱板２６と、再生経路２４における除湿ローター２１の風下側に設けられ再生空気の冷却を行なう凝縮器２７と、再生経路２４の最下部に設けられ凝縮器２７ならびに再生経路２４において発生したドレン水を排水管１１へ排水する排水経路２８と、除湿ローター２１によって除湿された空気を加熱する処理空気加熱手段２９と、吹出口１９より吹出す空気の方向を制御する風向制御手段３０と、凝縮器２７の風上側および風下側に設けられ再生空気の風路を変更する排出選択手段３１で構成されている。
【００３４】
ここで除湿ローター２１は、セラミック繊維、ガラス繊維等の無機繊維、もしくはそれら無機繊維とパルプとを混合して抄造した平面紙と、コルゲート加工を施した波型紙を巻装したコルゲート構造の円盤体に、吸湿剤、例えば、シリカゲル、ゼオライトなどの無機質の吸着型吸湿剤、有機高分子電解質、すなわちイオン交換樹脂などの吸湿剤、塩化リチウムなどの吸収型吸湿剤を１種類もしくは２種類以上を複合して担持したもので、軸方向に通風可能に構成されている。そして特に図示していないが、この除湿ローター２１を外周に歯車を周設したフレーム内部に収納し、再生空気加熱手段２５と再生経路２４によって回転可能な状態で固定し、歯車を備えた駆動モーターを除湿ローター２１に備えられた歯車と噛み合った状態で固定し、駆動モーターを回転させることにより除湿ローター２１を回転させることができる。この時、除湿ローター２１の回転速度は毎時１０回転から４０回転程度に設定するのが望ましい。なお、除湿ローター２１の回転方法は、上記構成に限るものではなく、例えば、除湿ローター２１の中心部に駆動モーターを連結して直接回転させるように構成してもよく、また、除湿ローター２１の外周に周設したギアにベルトをかけて、ベルトを介して駆動モーターを連結し回転動作を行なうように構成してもよい。
【００３５】
また処理ファン２２は、特に図示していないが除湿ローター側と下方側にそれぞれ吸込口と吹出口を有したファンケーシングと、ファンケーシングに収納される羽根と、羽根に連結されるモーターを具備しており、モーターの駆動によって羽根を回転させ、吸込口より空気を吸込んで吹出口より空気を排出するものである。
【００３６】
また再生ファン２３は、特に図示していないが再生経路に設けられている羽根と、羽根に連結されるモーターを具備しており、モーターの駆動によって羽根を回転させ、再生空気を送風させるものである。
【００３７】
また再生経路２４における凝縮器２７の風下側は、再生空気の送風方向に対して約１０°下方に傾斜させている。これは、凝縮器２７にて発生したドレン水が円滑に排水経路２８へ移動可能なように施したものであり、少なくとも５°以上の傾斜角度に設定することが望ましい。
【００３８】
また再生空気加熱手段２５として、ニクロムヒーターを使用するものである。ただしこの再生空気加熱手段２５は発熱動作を行い得るものであれよく、例えば、ハロゲンヒーター、カーボンヒーター、シーズヒーター、ＰＴＣヒーター等を用いることができる。
【００３９】
また遮熱板２６は、再生経路２４を再生空気加熱手段２５による熱から防ぐと同時に、輻射熱によって除湿ローター２１に吸着した水分が除湿ローター２１から脱着することを促進させるものであり、反射率が高く防錆のあるアルミニウムもしくはステンレス等の金属板にプレス加工や曲げ加工を施すことにより形成される。
【００４０】
また凝縮器２７として、厚み０．０５〜０．５ｍｍの範囲のシートに凹凸部を所定のパターンで形成した伝熱板Ａと、同様の薄厚のシートに伝熱板Ａと異なる凹凸部のパターンを形成した伝熱板Ｂを交互に複数枚積層することによって、吸込口から導入された空気が流れる冷却経路と、再生空気が流れる循環経路とが形成される積層型熱交換器を用いている。そして、吸込口から導入された空気と再生空気がこの熱交換器を通過する際、冷却経路と再生経路を隔てるシートを介して熱交換が行なわれ、その結果再生空気が冷却され再生空気中に含まれる水分が凝縮されることとなる。なお、この伝熱板Ａおよび伝熱板Ｂの板厚は、凹凸部の成形性、強度および形状維持性の面から０．０５ｍｍ以上であることが好ましく、また、伝熱性確保の面から０．５ｍｍ以下であることが望ましい。
【００４１】
また処理空気加熱手段２９としては、再生空気加熱手段２５と同様に発熱動作を行いうるものであればよく、再生空気加熱手段２５と同様のヒーターを用いることができる。
【００４２】
また風向制御手段３０は、特に図示していないが風向を変更するために複数の羽根が一定間隔で並列に並んだ羽根部と、各羽根を同時に稼動させるために各羽根の端部を連結しかつ端部近傍に歯車を備えた連結棒と、連結棒を左右に稼動させるため連結棒の歯車とかみ合った状態に設けられた歯車を備えた駆動モーターとで構成されており、羽根部を吹出口に固定するために各羽根の前記連結棒によって連結された端部に対向した上下端部が回転可能な状態で除湿装置本体１７が固定されている。上記構成によると、駆動モーターを運転させることで連結棒が左右に移動するため、各羽根は平衡状態を維持しつつ角度を変え、その結果吹出し角度を変更することができる。
【００４３】
また排出選択手段３１は、再生経路２４及び凝縮器２７の断面形状と概ね同形でありで端部に歯車を備えた遮蔽板と、遮蔽板を回転させるための駆動モーターで構成されているダンパを用いており、このダンパを制御することによって、再生空気を循環させる循環経路と、吸込口１８より導入した空気を再生経路２４に導入し、再生空気加熱手段２５ならびに除湿ローター２１を通過したのちに再生空気排気口２０より屋外へ排出する通風経路のいずれかを形成することができるものである。
【００４４】
以上の構成によると、吸込口１８より除湿装置本体１７に導入された空気は、除湿ローター２１を通過する際に吸湿され、処理空気加熱手段２９によって加熱され、吹出口１９よりランドリールーム１０６へ供給される。一方、除湿装置本体１７に含まれ除湿ローター２１に吸湿された水分は、除湿ローター２１が回転することによって再生空気加熱手段２５近傍へ移動する。そして、排出選択手段３１によって循環経路が形成されている場合、再生空気加熱手段２５によって高温になった再生空気が除湿ローター２１を通過する際に、前記水分は除湿ローター２１より放湿され水蒸気となって再生空気と共に再生経路２４を循環することとなる。そして、再生経路２４に設けられた凝縮器２７によって凝縮され、排水経路２８ならびに排水管１１を経由して洗濯機９の排水口１０に排水されるものである。また、排出選択手段３１によって通風経路が形成されている場合、吸込口１８より導入された空気の一部は再生経路２４に導入され、再生空気加熱手段２５ならびに除湿ローター２１を通過したのち再生空気排気口２０より排気されるものである。
【００４５】
図３は、本発明の実施の形態における排気装置２の概略断面図である。図３に示すように排気装置２は、バスルーム１０５に設けられバスルーム１０５の天井面に吸込口３２と吹出口３３と排気口３４が開口された排気装置本体３５と、吸込口３２よりバスルーム１０５の空気を導入する送風ファン３６と、吸込口３２と吹出口３３を連通した循環経路３７と、吸込口３２と排気口３４を連通した排気経路３８と、吸込口３２より導入した空気を循環経路３７と排気経路３８に分流する分流部３９と、循環経路３７を流通する空気を加熱する循環空気加熱手段４０と、循環経路３７に設けられ循環経路３７の通風面積を調節する循環経路開閉部４１で構成されている。
【００４６】
ここで送風ファン３６は、吸込口３２と分流部３９の間に設けられている羽根と、羽根に連結され強ノッチと弱ノッチの少なくとも２つの回転数を発生させることが可能なモーターを具備しており、モーターの駆動によって羽根を回転させ、空気を送風させるものである。
【００４７】
また循環空気加熱手段４０としては、再生空気加熱手段２５と同様に発熱動作を行ないうるものであればよく、再生空気加熱手段２５と同様のヒーターを用いることができる。
【００４８】
また循環経路開閉部４１は循環経路３５の断面形状と概ね同形状で端部に歯車が設けられた遮蔽板２６と、歯車を備えた駆動モーターで構成されており、この遮蔽板２６端部に設けられた歯車と駆動モーターの歯車が噛み合った状態で駆動モーターを駆動させることにより、遮蔽板２６が回転するものである。そして、遮蔽板２６が循環経路３７に対して平行状態である場合循環経路を空気が流通され、循環経路３７に対して垂直状態である場合、循環経路３７が遮蔽板２６で塞がれているため循環経路３７を遮断することができる。
【００４９】
以上に示す排気装置２の構成によると、循環経路３７が開放されかつ循環空気加熱手段４０が運転している場合、吸込口３２より導入された空気は分流部３９より循環経路３７と排気経路３８に分流される。そして、排気経路３８へ流通された空気は排気口３４に接続された室内側排気管６を経由して排気される。また、循環経路３７へ流通された空気は循環空気加熱手段４０によって加熱され吹出口３３よりバスルーム１０５へ供給される。その結果バスルーム１０５の温度が上がることによりバスルーム１０５内の水分蒸発が促進され、蒸発した水蒸気は排気手段２より排気されるので、バスルーム１０５を乾燥させることが可能となる。また、循環経路３７が循環経路開閉部４１によって遮断されかつ循環空気加熱手段４０が停止している場合、吸込口３２より導入された空気は全て排気口３４より排気されるものである。なお、排気装置２としては室内側排気管６を経由して屋外へバスルーム１０５の空気を排気できればよく、ケーシングと駆動モーターと羽根で構成された送風機を用いることも可能である。さらに、住宅を建設した後に本除湿システムを導入する場合、バスルーム１０５に設けられている排気用送風機を用いることで、既存の排気用送風機を無駄にすることなく、かつ排気装置２の購入費ならびに施工費を削減することができるためより好ましい。
【００５０】
図４ならびに図５は導入空気選択手段１６の概略断面図である。図４に示すように導入空気選択手段１６は、回転可能な状態で備えられ導入空気選択手段１６の内部断面と概ね同形状である遮蔽板４２と、遮蔽板４２を回転させるための駆動モーター４３で構成されたダンパを用いている。
【００５１】
また連通手段８は、ランドリールーム１０６とバスルーム１０５を隔てる壁を連通する連通管と、連通管の両端に設けられた吸込みグリルならびに吹出しグリルによって構成されるものである。ここで、ランドリールーム１０６よりバスルーム１０５へ移動する際に使用するドアにガラリが備わっている場合、連通手段８としてガラリを使用することで壁面に対して配管工事を行なう必要がなくなるのでより好ましい。
【００５２】
また運転制御手段１２には、除湿装置１ならびに排気装置２の運転を制御するための制御信号送信部と第一環境検知手段１３ならびに第二環境検知手段１４からの信号を受信する検知信号受信部と、検知信号受信部によって得た情報に基づいて制御信号送信部より除湿装置１ならびに排気装置２へ送信する制御信号を決定する制御計算部と、使用者が除湿システムの運転方法を操作するための運転操作部によって構成されている。なお、運転制御手段１２による制御内容に関しては後述する。
【００５３】
また第一環境検知手段１３ならびに第二環境検知手段１４における温度検知手段としてサーミスタや熱電対、相対湿度検知手段としてセラミック湿度センサや高分子湿度センサ、絶対湿度検知手段として熱伝導式湿度センサ等を適用することが可能である。
【００５４】
また熱交換手段１５として、凝縮器２７と同様に屋外空気とランドリールーム１０６ならびにバスルーム１０５より排気する空気との間で熱交換が可能であればよく、凝縮器２７と同様の積層型熱交換器を用いることができる。
【００５５】
また洗濯物保持手段１０７として、洗濯物１０８を吊り下げる物干し竿ならびにハンガーと、物干し竿を吹出口１９の近傍に固定されるため端部を壁面もしくは天井面に固定し物干し竿を引っ掛ける保持具を用いている。なお、洗濯物１０８を吹出口１９近傍に固定するという効果を有していればよく、端部に洗濯物を干すためのハンガーが備えられているスタンドを用いることもできる。
【００５６】
そして、除湿装置１をランドリールーム１０６に設けられた洗濯機９の上方かつ天井近傍に設け、排気装置２をバスルーム１０５の天井に設け、導入空気選択手段１６をランドリールーム１０６の天井裏に設け、屋外側導入管３ならびに屋外側排気管５によって屋外と導入空気選択手段１６を連通し、室内側導入管４によって、導入空気選択手段１６と除湿装置１の吸込口１８を連通し、室内側排気管６によって排気装置２の排気口３４を連通し、連通手段８をランドリールーム１０６とバスルーム１０５を隔てた壁面の床近傍に設け、運転制御手段１２をランドリールーム１０６の壁面に設け、第一環境検知手段１３を排気装置２の吸込口３２近傍に設け、第二環境検知手段１４を屋外に設け、屋外側導入管３ならびに屋外側排気管５の中間に熱交換手段１５を設ける。そして、洗濯物１０８を吹出口１９近傍に設けられた洗濯物保持手段１０７に干すものである。また、除湿装置１を設ける位置としては洗濯物１０８を干す空間をより広く確保するために、可能な限り天井に近い方が好ましく、天井面に接している状態が最も好ましい。そして、連通手段８を設ける位置として、ランドリールーム１０６ならびにバスルーム１０５を隅々まで乾燥させることを考慮すると、可能な限り床との距離が近い位置に設けるのが好ましい。
【００５７】
以上に示す除湿システムによると、第一環境検知手段１３によってランドリールーム１０６ならびにバスルーム１０５の、第二環境検知手段１４によって屋外の温度、相対湿度、絶対湿度の少なくとも２以上の状態を検知することができ、その結果両空間の乾湿球温度差を計算することができる。そして、夏期のように屋外が高温である場合や入浴後のようにバスルーム１０５が高湿である場合は屋外の乾湿球温度差が排気装置２によって排気する空気の乾湿球温度差よりも大きく、図４に示すような位置に遮蔽板４２を配すことによって屋外空気を除湿装置１へ導入することができる。また、梅雨期のように屋外が高湿である場合はランドリールーム１０６ならびにバスルーム１０５の乾湿球温度差が屋外の乾湿球温度差よりも大きく、図５に示すような位置に遮蔽板４２を配すことによって排気装置２より排気された空気を除湿装置１へ導入することができる。以上のような制御を行なうことによって、より乾湿球温度差の大きい空気を選択して除湿装置１へ導入することができ、その結果より効率よく洗濯物１０８を乾燥させることが可能となる。
【００５８】
そして、導入空気選択手段１６によって選択され室内側導入管４を経由して除湿装置１に導入された空気は、除湿装置１によって除湿かつ加熱され吹出口１９よりランドリールーム１０６へ吹出すこととなる。そして、洗濯物１０８が吹出口１９近傍に保持されているため、吹出口１９よりランドリールーム１０６へ吹出した空気は周囲の温熱環境に影響されることなく洗濯物１０８に接触し、洗濯物１０８近傍に滞留することなく連通手段８よりバスルーム１０５へ移動するため、洗濯物１０８を迅速に乾燥させることができる。
【００５９】
また吹出口１９をランドリールーム１０６の天井近傍に設け、連通手段８を床近傍に設けているため、吹出口１９より吹出した空気はランドリールーム１０６の天井近傍から床近傍に移動し、その結果ランドリールーム１０６全体を乾燥させることが可能となる。
【００６０】
また吹出口１９に対して広範囲に洗濯物１０８が保持されている場合、吹出口１９に備えた風向制御手段３０によって除湿装置１より室に供給される除湿空気を洗濯物１０８全てに向けて吹出すように制御することができるので、大量の洗濯物を効率よく乾燥させることができる。
【００６１】
また除湿ローター２１によって除湿された空気を処理空気加熱手段２９によって加熱することによって、洗濯物に接触する空気の乾湿球温度差をより拡大させ、その結果より迅速に洗濯物を乾燥させることが可能となる。
【００６２】
また除湿装置１によって除湿装置１に導入される空気より取り除かれた水分は、再生経路が循環経路を形成している場合、凝縮器２７にて凝縮されたドレン水は排水経路２８ならびに排水管１１を経由して排水口１０より排水される。また再生経路が通風経路を形成している場合、再生空気と共に再生空気排気管７ならびに屋外側排気管５を経由して屋外へ排出される。そのため、いずれの経路においても使用者がドレン水を排水するという手間を省くことが可能となる。
【００６３】
また、屋外側導入管３ならびに屋外側排気管５に設けられた熱交換手段１５によって屋外側導入管３を流通する空気と屋外側排気管５を流通する空気の間で熱交換が行なわれる。その結果、冬期のように屋外温度が低い場合や、入浴後などランドリールーム１０６ならびにバスルーム１０５の温度が高い場合は、屋外側導入管３を流通する空気を加熱することができ、その結果より効率よく洗濯物を乾燥させることが可能となる。
【００６４】
また除湿システムを使用する目的が洗濯物乾燥でなく入浴後などのランドリールーム１０６の快適性向上である場合、使用者が運転制御手段１２を操作することによって、排出選択手段３１によって循環経路から通風経路へ変更することができる。このことによって、再生空気加熱手段２５ならびに除湿ローター２１を通過した後の高温高湿空気の顕熱ならびに潜熱を屋外に排出することができるので、ランドリールーム１０６の温度を上昇させることなく除湿することができ、その結果ランドリールーム１０６の快適性を向上することができる。
【００６５】
また、住宅を建設した後に本除湿システムを導入する場合、バスルーム１０５に設けられた排気装置を排気装置２として活用することができるため、既存の排気装置を廃却する必要がなく、また排気装置２に関する購入費用ならびに施工費を削減することができる。
【００６６】
（実施の形態２）
図６に実施の形態２における除湿システムの概略図、図７に実施の形態２における除湿装置４４の概略断面図、図８に実施の形態２における概略平面図を示す。
【００６７】
この実施の形態２は実施の形態１における除湿システムと概ね同じ構成を用いており、実施の形態１との相違点として図６に示すように除湿装置４４をランドリールーム１０６内ではなくランドリールーム１０６の天井裏に設け、図７に示すように除湿装置４４の吹出口４５をランドリールーム１０６の天井４６に設けたことにある。このことによって、実施の形態１と比較して洗濯機９と天井４６の空間が拡大し、その結果洗濯物１０８を干すことが容易に行なうことができ、また大型の洗濯物１０８を乾燥させることができる。
【００６８】
また図８に示すように、バスルーム１０５に排気装置２を設け、トイレルーム４７に第二排気装置４８を設け、排気装置２と第二排気装置４８と導入空気選択手段１６を室内側排気管６によって連通し、ランドリールーム１０６とバスルーム１０５を連通手段８によって連通し、ランドリールーム１０６とトイレルーム４７を第二連通手段４９によって連通することで、除湿装置１によって除湿された空気は連通手段８ならびに第二連通手段４９を経由し、排気装置２ならびに第二排気装置４８より排気されることとなる。その結果、実施の形態１に示すバスルーム１０５の乾燥のみならず、トイレルーム４７も同時に乾燥させることが可能となる。
【００６９】
ここで、ランドリールーム１０６とトイレルーム４７の間に廊下５０が形成されている場合、ランドリールーム１０６と廊下５０を通じるドアのアンダーカット、ならびに廊下５０とトイレルーム４７を通じるアンダーカットを第二連通手段４９とすることで、実施の形態１と同様に第二連通手段４９を施工する手間を省くことができる。
【００７０】
また、実施の形態１と同様に既存のトイレルーム４７の排気装置２を第二排気装置４８として活用することができ、その結果第二排気装置４８の購入費ならびに施工費を削減することができる。
【産業上の利用可能性】
【００７１】
本発明によれば、洗濯物を迅速に乾燥させることができ、既存の排気装置をそのままシステムとして活用することができ、イニシャルコストを削減することができる、洗濯物ならびに室を乾燥させる除湿システムとして有用である。
【図面の簡単な説明】
【００７２】
【図１】本発明の実施の形態１における除湿システムの概略図
【図２】同実施の形態１における除湿装置１の概略断面図
【図３】同実施の形態１における排気装置２の概略断面図
【図４】同実施の形態１における導入空気選択手段１６の概略断面図
【図５】同実施の形態１における導入空気選択手段１６の概略断面図
【図６】本発明の実施の形態２における除湿システムの概略図
【図７】同実施の形態２における除湿装置４４の概略断面図
【図８】同実施の形態２における除湿システムの概略平面図
【図９】従来の除湿システムの概略図
【符号の説明】
【００７３】
１      除湿装置
２      排気装置
３      屋外側導入管
４      室内側導入管
５      屋外側排気管
６      室内側排気管
７      再生空気排気管
８      連通手段
９      洗濯機
１０    排水口
１１    排水管
１２    運転制御手段
１３    第一環境検知手段
１４    第二環境検知手段
１５    熱交換手段
１６    導入空気選択手段
１７    除湿装置本体
１８    吸込口
１９    吹出口
２０    再生空気排気口
２１    除湿ローター
２２    処理ファン
２３    再生ファン
２４    再生経路
２５    再生空気加熱手段
２６    遮熱板
２７    凝縮器
２８    排水経路
２９    処理空気加熱手段
３０    風向制御手段
３１    排出選択手段
３２    吸込口
３３    吹出口
３４    排気口
３５    排気装置本体
３６    送風ファン
３７    循環経路
３８    排気経路
３９    分流部
４０    循環空気加熱手段
４１    循環経路開閉部
４２    遮蔽板
４３    駆動モーター
４４    除湿装置
４５    吹出口
４６    天井
４７    トイレルーム
４８    第二排気装置
４９    第二連通手段
５０    廊下
１０１  除湿装置
１０２  第一吹出口
１０３  第二吹出口
１０４  連通手段
１０５  バスルーム
１０６  ランドリールーム
１０７  洗濯物保持手段
１０８  洗濯物
【図１】
0004696858.tif 000002
【図２】
0004696858.tif 000003
【図３】
0004696858.tif 000004
【図４】
0004696858.tif 000005
【図５】
0004696858.tif 000006
【図６】
0004696858.tif 000007
【図７】
0004696858.tif 000008
【図８】
0004696858.tif 000009
【図９】
0004696858.tif 000010